(57)【要約】【課題】簡単な構成で加熱領域室で覆われる延伸機側のシート状物の搬送入口及び延伸後出口からの熱量流出を減少させて、エネルギー損出の減少と、加熱領域の適正な温度維持ができるようにした延伸機を提供する。【解決手段】熱可塑性を有するシート状物の端部を把持する複数のリンクを閉じた経路に沿って案内して前記シート状物を入口側から出口側に搬送しつつ延伸する延伸機において、シート状物を延伸する加熱領域室のシート状物搬送入口側、延伸後出口の少なくても一方の室外側に搬送されるシート状物面に対向した上下面の板状の緩衝帯を設ける。【選択図】図１
2009269268.tif 000002
【特許請求の範囲】
【請求項１】
熱可塑性を有するシート状物の幅方向両端で向かい合って配置され、相互に連結されて折れ尺状に伸縮しつつシート状物の幅方向両端部を把持する複数のリンクを閉じた経路に沿って案内して、シート状物を入口側から出口側に搬送しつつ延伸した後、入口側に戻して走行されるリンク装置を対に備えたシート状物の延伸機であって、シート状物の搬送入口より延伸後出口までの前記リンク装置と把持されたシート状物を覆う断熱構造の加熱領域室と、前記加熱領域室のシート状物の搬送入口側と延伸後出口側の少なくとも一方の室外側にシート状物の表裏面に対向した板状の緩衝帯を上下に設けたことを特徴とする延伸機。
【請求項２】
請求項１に記載の延伸機であって、前記緩衝帯はシート状物の幅方向両端部を把持する複数のリンクを上下で挟むように配置されたことを特徴とする延伸機。
【請求項３】
請求項１または２に記載の延伸機であって、前記緩衝帯が移動可能な構造を有することを特徴とする延伸機。
【発明の詳細な説明】
【技術分野】
【０００１】
本発明は、シート状物、例えば熱可塑性樹脂フィルム等を加熱延伸する延伸機に関するものである。
【背景技術】
【０００２】
図３に示すように、熱可塑性を有するシート状物１の幅方向両端で向かい合って配置された、相互に連結されて折れ尺状に伸縮しつつ前記シート状物の各端部を把持する複数のリンク２を閉じた経路３に沿って案内して前記シート状物１を入口側から出口側に搬送しつつ延伸した後、入口側に戻して走行させるリンク装置７、８を対に備えたシート状物の延伸機においては、このシート状物を搬送入口より延伸後出口まで、内部を高い温度に調整して維持することが必要である。
【０００３】
このような内部を高い温度に調整して維持するために、シート状物延伸機の延伸実行部分は断熱構造の加熱領域室で覆われると共に、シート状物の加熱のために、ヒータを用いて昇温させた空気をシート状物に吹き付けて加熱する熱風循環式又はシート状物に対向させて設置した輻射式ヒータによる輻射加熱が行われる。
【０００４】
前記の加熱領域室で覆われる延伸機内部は、ヒータにより必要温度にコントロールされるが、シート状物１の幅方向両端部をリンク２により把持開始する搬送入口、及びシート状物１の各端部をリンク２より開放する延伸後出口では、断熱構造の加熱領域室が室温状態の外に開口部を有するため、この搬送入口及び延伸後出口の開口部より大きな熱流出による熱損失があると共に、搬送入口及び延伸後出口に隣接する延伸機側の断熱構造の加熱領域においても温度コントロ−ルが容易でないという現象があった。
【０００５】
これを解決する技術として特開昭５８−２０１６１８号公報（特許文献１）には、二軸延伸フィルムの予熱層と加熱層の各々の原反チューブ用流通口に熱気流封鎖機構を設けて、熱気流の流出及び冷気流の流入を防止することが記載されている。
【０００６】
【特許文献１】特開昭５８−２０１６１８号公報
【発明の開示】
【発明が解決しようとする課題】
【０００７】
しかしながら、特許文献１に記載のものは、延伸対象として原反チューブに気体を圧入して延伸するタイプであって、熱気流封鎖機構は延伸対象物に密着する構造であるため、シート状物を引張って延伸するテンター方式ではシート状物が絡まって採用することができない。
【０００８】
本発明は、簡単な構成で加熱領域室で覆われる延伸機側のシート状物の搬送入口及び延伸後出口からの熱量流出を減少させて、エネルギー損出の減少と、加熱領域の適正な温度維持ができるようにした延伸機を提供することにある。
【課題を解決するための手段】
【０００９】
上記課題を解決する為に、本発明は、熱可塑性を有するシート状物の幅方向両端で向かい合って配置され、相互に連結されて折れ尺状に伸縮しつつシート状物の幅方向両端部を把持する複数のリンクを閉じた経路に沿って案内して、シート状物を入口側から出口側に搬送しつつ延伸した後、入口側に戻して走行されるリンク装置を対に備えたシート状物の延伸機であって、シート状物の搬送入口より延伸後出口までの前記リンク装置と把持されたシート状物を覆う断熱構造の加熱領域室と、前記加熱領域室のシート状物の搬送入口側と延伸後出口側の少なくとも一方の室外側にシート状物の表裏面に対向した上下の板状の緩衝帯を設けたことを特徴とする。
【００１０】
また、前記緩衝帯はシート状物の幅方向両端部を把持する複数のリンクを上下で挟むように配置されたことを特徴とする。また、前記緩衝帯が移動可能な構造を有することを特徴とする。
【発明の効果】
【００１１】
本発明によれば、上下面の板状の緩衝帯によりシート状物の延伸を行うための加熱領域室より高温空気が流出するのを防止でき、省エネと温度管理を良好に保つことができる。また、上下面の緩衝帯の両側部は、シート状物の幅方向両端部を把持する複数のリンクによりダクト状を構成し、高温空気の流出をより効果的に防止できる。
【発明を実施するための最良の形態】
【００１２】
本発明に係る連続加熱装置の実施例について図面を用いて説明する。
【００１３】
図１、図２を用いて本発明に係るシート状物の延伸機の実施例を説明する。図１に示す延伸機は、シート状物の幅方向両端で向かい合って配置され、相互に連結されて折れ尺状に伸縮しつつ前記シート状物（熱可塑性樹脂フィルム）１の幅方向両端部を把持する複数のリンク２を有し、リンクガイドレール３上の閉じた経路に沿って案内されて、前記シート状物１を入口側から出口側に搬送しつつ延伸した後、入口側に戻るように走行するリンク装置７、８（図３参照）を対に備えた延伸機である。
【００１４】
６はシート状物１の延伸領域を囲んで延伸に適した高温に保つ断熱構造の加熱領域室である。加熱領域室６のシート状物の搬送方向の両端には、シート状物１の搬送入口４と延伸後出口５が開口して設けられている。上記構成のみの延伸機においては、加熱領域室６内の熱が、前記入口４及び出口５の開口部より外へ流出するが、その量は加熱が熱風循環式加熱で行われる場合、熱風循環量の数％に相当する。
【００１５】
本実施例では、図１、図２に示すように、加熱領域室６の外側で前記搬送入口４のシート状物１の搬送の上流側に、シート状物１の表面に対向した入口上面緩衝帯１１と下面（裏面）に対向した入口下面緩衝帯１２を、加熱領域室６に密接させ、且つリンク２に近接させて設置する。即ち、前記緩衝帯はシート状物の幅方向両端部を把持する複数のリンクを上下で挟むように配置されている。
【００１６】
この構成により、シート状物１の両面に対向した上下の板状の緩衝帯１１、１２、及びシート状物１の各端部を把持する複数のリンク２により、前記搬送入口４の上流側にダクト状の空間が形成されて流体抵抗が生じ、約数１０Ｐａの圧力損失を生じて、高温空気が加熱領域室６より外に放出されるのを抑制できる。
【００１７】
同様に延伸後出口５においてもシート状物１の上面に対向する出口上面緩衝帯２１を、下面に対抗する出口下面緩衝帯２２を断熱構造の加熱領域室６に密接させて、且つリンク装置２に近接させて設置することにより、延伸後搬出口５においても高温空気が加熱領域室６より外部へ放出されるのを抑制することが可能となる。
【００１８】
このように、入口４と出口５からの高温空気の放出が抑制されるので、エネルギー損失の減少を図ることが出来ると共に、加熱領域室６の適正な温度維持ができるので、均質な延伸が行える。
【００１９】
尚、延伸機の搬送入口４及び延伸後出口５においては、それぞれシート状物（熱可塑性樹脂フィルム）１をリンク装置２により把持と開放を行うので、この動作確認並びに不具合時の手直しが必要となる場合がある。
【００２０】
このような場合に対応できるように、入口上面緩衝帯１１、入口下面緩衝帯１２及び出口上面緩衝帯２１、出口下面緩衝帯２２は作業の障害とならないように、加熱領域室６に蝶番等（図示せず）を介して開閉自在に取付けられる。図２に出口上面緩衝帯２１は開いた状態を破線２１ａで示す。これは蝶番による開閉以外に、例えば折り畳み構造、蛇腹構造又はスクリーン状の巻き取り構造等でも良く、緩衝帯が移動可能な構造であれば良い。この移動可能な構造により、リンク装置２により把持と開放がなされるシート状物１の動作確認、並びに不具合時の手直しが容易にできる。
【産業上の利用可能性】
【００２１】
テンター方式のフィルム延伸装置全般に適用できる。
【図面の簡単な説明】
【００２２】
【図１】本発明実施例のシート状物の延伸機の概略構成図である。
【図２】同じくシート状物の延伸機の横断面である。
【図３】本発明実施例を適応するシート状物の延伸機のリンク装置の説明図である。
【符号の説明】
【００２３】
１…シート状物（熱可塑性樹脂フィルム）、２…リンク、３…リンクガイドレール、４…搬送入口、５…延伸後出口、６…加熱領域室、７、８…リンク装置、１１…入口上面緩衝帯、１２…入口下面緩衝帯、２１…出口上面緩衝帯、２２…出口下面緩衝帯。
【図１】
2009269268.tif 000003
【図２】
2009269268.tif 000004
【図３】
2009269268.tif 000005